(57)【特許請求の範囲】
【請求項１】
映像のデュアルビュー表示が可能な表示部と、
上記表示部に対するタッチ操作の検出を行うタッチ検出部と、
上記タッチ検出部へのタッチ位置を検出してその座標データを出力するタッチ位置検出部と、
上記デュアルビュー表示にて映像を上記表示部に表示させるとともに、メニュー画像を上記表示部に表示させる表示制御部と、
上記デュアルビュー表示の複数の映像に対する操作を独立して行うためのトップメニューであって、それぞれが複数の操作項目を含んでいる第１のトップメニューおよび第２のトップメニューを発生するメニュー発生部と、
上記メニュー発生部により発生された上記第１のトップメニューおよび上記第２のトップメニューを上記表示部の異なる画面位置に表示させるように制御するとともに、上記タッチ位置検出部からの座標データに基づき、上記第１のトップメニューまたは上記第２のトップメニューの何れがタッチされたかを判断し、タッチされた側のトップメニューに対する操作を有効とし、タッチされていない側のトップメニューに対する操作を無効とするように制御する制御部とを備えたことを特徴とする表示装置。
【請求項２】
上記制御部は、上記タッチされた側のトップメニューに対応する下層メニューを上記表示部に表示させるように上記メニュー発生部および上記表示制御部の動作を制御することを特徴とする請求項１に記載の表示装置。
【請求項３】
上記制御部は、上記タッチされていない側のトップメニューに対する操作を無効にした後、上記タッチ位置検出部からの座標データに基づき、上記タッチされていない側のトップメニューに対する操作が行われたことを検知したとき、操作が無効であることを知らせるメッセージを出力するように制御することを特徴とする請求項１に記載の表示装置。
【請求項４】
上記制御部は、上記タッチされていない側のトップメニューに対する操作を無効にしたとき、操作が無効にされている映像に対して、操作が有効にされている映像の種類をメッセージとして表示するように上記表示制御部による表示動作を制御することを特徴とする請求項１に記載の表示装置。
【請求項５】
上記メニュー発生部は、上記表示部に同じ映像ソースの映像にてデュアルビュー表示が行われているとき、上記デュアルビュー表示の同じ映像ソースに対する操作を独立して行うためのトップメニューであって、複数の操作項目を含んでいる同内容の第１のトップメニューおよび第２のトップメニューを発生し、
上記制御部は、上記メニュー発生部により発生された上記第１のトップメニューおよび上記第２のトップメニューを上記表示部の異なる画面位置に表示させるように制御するとともに、上記タッチ位置検出部からの座標データに基づき、上記第１のトップメニューまたは上記第２のトップメニューの何れがタッチされたかを判断し、タッチされたトップメニューに応じて異なる内容の下層メニューを上記表示部に表示させるように上記メニュー発生部および上記表示制御部の制御することを特徴とする請求項１に記載の表示装置。
【請求項６】
デュアルビュー表示の複数の映像に対する操作を独立して行うためのトップメニューであって、それぞれが複数の操作項目を含んでいる第１のトップメニューおよび第２のトップメニューをタッチパネル付き表示装置に表示させる制御を行う表示制御部と、
上記タッチパネルにより検出されるタッチ位置の座標データに基づき、上記第１のトップメニューまたは上記第２のトップメニューの何れがタッチされたかを判断し、タッチされた側のトップメニューに対する操作を有効とし、タッチされていない側のトップメニューに対する操作を無効とするように動作を制御する制御部とを備えたことを特徴とするメニュー提供装置。
【請求項７】
上記制御部は、上記タッチされた側のトップメニューに対応する下層メニューを上記タッチパネル付き表示装置に表示させるように上記表示制御部による表示動作を制御することを特徴とする請求項６に記載のメニュー提供装置。
【請求項８】
上記制御部は、上記タッチされていない側のトップメニューに対する操作を無効にした後、上記タッチパネルにより検出されるタッチ位置の座標データに基づき、上記タッチされていない側のトップメニューに対する操作が行われたことを検知したとき、操作が無効であることを知らせるメッセージを出力するように制御することを特徴とする請求項６に記載のメニュー提供装置。
【請求項９】
上記制御部は、上記操作が無効であることを知らせるメッセージを、操作が無効にされている映像に対して表示するように上記表示制御部による表示動作を制御することを特徴とする請求項８に記載のメニュー提供装置。
【請求項１０】
上記制御部は、上記操作が無効であることを知らせるメッセージを音声として出力するように制御することを特徴とする請求項８に記載のメニュー提供装置。
【請求項１１】
上記制御部は、上記タッチされていない側のトップメニューに対する操作を無効にしたとき、操作が無効にされている映像に対して、操作が有効にされている映像の種類をメッセージとして表示するように上記表示制御部による表示動作を制御することを特徴とする請求項６に記載のメニュー提供装置。
【請求項１２】
同じ映像ソースの映像にてデュアルビュー表示を行うとともに、上記デュアルビュー表示の同じ映像ソースに対する操作を独立して行うためのトップメニューであって、複数の操作項目を含んでいる同内容の第１のトップメニューおよび第２のトップメニューをタッチパネル付き表示装置の異なる画面位置に表示させる制御を行う表示制御部と、
上記タッチパネルにより検出されるタッチ位置の座標データに基づき、上記第１のトップメニューまたは上記第２のトップメニューの何れがタッチされたかを判断し、タッチされたトップメニューに応じて異なる内容の下層メニューを上記タッチパネル付き表示装置に表示させるように上記表示制御部による表示動作を制御する制御部とを備えたことを特徴とするメニュー提供装置。
【請求項１３】
タッチパネル付き表示装置に対して行われているデュアルビュー表示の複数の映像に対する操作を独立して行うためのトップメニューであって、それぞれが複数の操作項目を含んでいる第１のトップメニューおよび第２のトップメニューを上記タッチパネル付き表示装置に表示させる第１のステップと、
上記タッチパネルにより検出されるタッチ位置の座標データに基づき、上記第１のトップメニューまたは上記第２のトップメニューの何れがタッチされたかを判定する第２のステップと、
上記第２のステップによる判定の結果に基づき、タッチされた側のトップメニューに対する操作を有効とし、タッチされていない側のトップメニューに対する操作を無効とする第３のステップと、
上記タッチパネルにより検出されるタッチ位置の座標データに基づき、上記タッチされた側のトップメニューの中でどの操作項目がタッチされたかを判定し、タッチされた操作項目に対応する下層メニューを上記タッチパネル付き表示装置に表示させる第４のステップとを有することを特徴とするメニュー提供方法。
【請求項１４】
同じ映像ソースの映像にて上記デュアルビュー表示が行われているときに、上記第１のステップでは、上記デュアルビュー表示の同じ映像ソースに対する操作を独立して行うためのトップメニューであって、複数の操作項目を含んでいる同内容の第１のトップメニューおよび第２のトップメニューを上記タッチパネル付き表示装置の異なる画面位置に表示させ、
上記第４のステップでは、上記第２のステップによる判定の結果に基づき、タッチされたトップメニューに応じた内容の下層メニューを上記タッチパネル付き表示装置に表示させることを特徴とする請求項１３に記載のメニュー提供方法。
【発明の詳細な説明】
【技術分野】
【０００１】
本発明は、表示装置、メニュー提供装置およびメニュー提供方法に関し、特に、１つの表示画面において観察する方向により異なる映像を見ることができるように成された、いわゆるデュアルビューディスプレイのメニュー操作に関するユーザインタフェースに用いて好適なものである。
【背景技術】
【０００２】
従来、１つの表示画面において観察する方向により異なる映像を見ることができるように成されたデュアルビューディスプレイが提供されている（例えば、特許文献１参照）。例えば、デュアルビューディスプレイをカーナビゲーションシステムの車載用表示装置として用いた場合、運転者側にはナビゲーション情報を表示し、助手席の同乗者側にはテレビ映像やＤＶＤ（Digital Versatile Disk）映像などを表示することが可能となる。
【特許文献１】特開２００５−７１２８６号公報
【０００３】
デュアルビューディスプレイを実現する技術として、視差バリアを用いたものや、レンチキュラーレンズを用いたものが存在する。図８は、視差バリアを用いたデュアルビューディスプレイの原理を説明するための図である。図８に示すように、デュアルビューディスプレイは、スイッチ液晶１０１とＴＦＴ（Thin Film Transistor）液晶１０２との組み合わせにより構成されている。
【０００４】
スイッチ液晶１０１には、光学的な視差バリア１０３が等しい間隔を空けて複数設けられている。視差バリア１０３は、光（液晶のバックライト）の進行方向を制御し、左右の観察位置１０６，１０７に異なる光が届くように光を分離している。また、ＴＦＴ液晶１０２では、交互に配置された左用画素群１０４と右用画素群１０５とにそれぞれ左用画像と右用画像とを交互に表示している。
【０００５】
視差バリア１０３を通過して左用画素群１０４を通った光は左の観察位置１０６に届き、視差バリア１０３を通過して右用画素群１０５を通った光は右の観察位置１０７に届く。これにより、１つのＴＦＴ液晶１０２の表示画面上において、観察する方向により異なる映像を見ることができるようになる。
【０００６】
ところで、液晶表示パネルを用いた機器にあっては、リモートコントローラの操作に限らず、液晶表示パネルに表示される映像をタッチパネルの操作によって操作することができるものがある。タッチパネルは、液晶表示パネルの前面に重ね合わされるものであり、液晶表示パネルに表示される動作選択の指示に応じたバーやキースイッチ等にタッチすることで、タッチ操作コントロールを行うことができる。
【０００７】
上述のデュアルビューディスプレイにもタッチパネルを適用することが可能である。ただし、この場合は、デュアルビューディスプレイの特徴である“左右独立表示”と合わせて、運転者と同乗者とがそれぞれ用に表示された映像に対する操作を独立して行えるようにする必要がある。また、タッチパネルにタッチした者が運転者であるか同乗者であるかを識別し、そのタッチパネルの操作を運転者または同乗者が視聴している映像に対応させる必要もある。
【０００８】
この場合、運転者または同乗者が視聴している映像に対応させるための切替えスイッチを表示装置本体に設けておいて、何れか一方のタッチパネルの操作を有効にする方法が考えられる。ところが、このような方法では、運転者または同乗者がタッチパネルの操作を行おうとする度に、切替えスイッチを操作しなければならないため、その操作が煩雑となってしまう。
【０００９】
また、物体の動きを捉えるセンサを車室内の所定箇所に設けておいて、運転席または助手席の何れの方向からタッチパネルの操作が行われたかを検出し、その検出結果に応じて、タッチパネルにタッチした者が運転者であるか同乗者であるかを識別する方法も考えられる。ところが、このような方法では、センサ等の特殊技術を用いる必要があり、コストがかかってしまう。
【００１０】
このような問題に対して、上記特許文献１に記載のデュアルビューディスプレイでは、タッチ操作が何れの映像に対して有効であるかの判断を容易かつ確実に行うための工夫が成されている。すなわち、タッチパネルに視聴者Ａタッチ専用エリアおよび視聴者Ｂタッチ専用エリアを設けておき、どちらのエリアがタッチされたのかを判断して、タッチされた側のエリアに対応する映像の操作メニューを表示するようにしている。
【発明の開示】
【発明が解決しようとする課題】
【００１１】
しかしながら、上記特許文献１に記載の技術では、タッチパネルに一度タッチしないと操作メニューが表示されないので、余分なタッチ操作が最初に必要となり、その分操作が煩雑となってしまうという問題があった。
本発明は、このような問題を解決するために成されたものであり、デュアルビューディスプレイにおいて、左右独立に表示された映像に対する操作をより簡便に行うことができるようにすることを目的とする。
【課題を解決するための手段】
【００１２】
上記した課題を解決するために、本発明では、デュアルビュー表示の複数の映像に対する操作を独立して行うためのトップメニューであって、それぞれが複数の操作項目を含んでいる第１のトップメニューと第２のトップメニューとを異なる画面位置に表示する。そして、タッチ位置の座標データに基づいて何れのトップメニューがタッチされたのかを判定して、タッチされた側のトップメニューに対する操作を有効とし、タッチされていない側のトップメニューに対する操作を無効とするようにしている。
【発明の効果】
【００１３】
上記のように構成した本発明によれば、タッチ位置の座標データに基づいて何れのトップメニューに対する操作が行われたのかが判定され、タッチされていない方のトップメニューに対する操作が無効とされるので、センサ等の特殊技術を用いる必要がなく、同乗者と運転者との独立操作を低コストで実現することができる。また、本発明によれば、第１のトップメニューと第２のトップメニューとがあらかじめ表示されているので、トップメニューを表示させるために最初に余分なタッチ操作を行う必要がなくなる。しかも、そのトップメニュー中には複数の操作項目が含まれているので、所望の機能をワンタッチで実行させることも可能となる。これにより、より少ない回数のタッチでメニュー操作を行うことができる。
【発明を実施するための最良の形態】
【００１４】
（第１の実施形態）
以下、本発明の一実施形態を図面に基づいて説明する。図１は、第１の実施形態による表示装置の構成例を示す図である。図１に示すように、第１の実施形態の表示装置１０は、表示部１、表示制御部２、制御部３、メニュー発生部４および警告発生部５を備えて構成されている。表示部１は、表示パネル１ａ（本発明の表示部に相当）、タッチパネル１ｂ（本発明のタッチ検出部に相当）およびタッチ位置検出部１ｃを備えている。
【００１５】
表示パネル１ａは、画像データに基づき映像を表示するものであり、例えば図８のように構成されていて、映像のデュアルビュー表示を行うことが可能となっている。デュアルビュー表示では、第１の画像データおよび第２の画像データに基づく複数の映像を表示パネル１ａの左右に分けて表示することにより、運転者および同乗者が異なる映像を視聴できるようにすることが可能である。また、第１の画像データおよび第２の画像データの何れか一方に基づく複数の映像を表示パネル１ａの左右に分けて表示することにより、運転者および同乗者が共に同じ映像を視聴できるようにすることも可能である。
【００１６】
例えば、右座席が運転席の場合、第１の画像データとして地図画像データ、第２の画像データとしてＤＶＤ画像データを選択し、左用画素群１０４にＤＶＤ画像データを出力するとともに、右用画素群１０５に地図画像データを出力することにより、運転席側にはナビゲーション映像を表示し、助手席側にはＤＶＤ映像を表示することが可能となる。また、運転席側および助手席側の両方とも映像ソースとして同じ地図画像データを選択し、それを左用画素群１０４にも右用画素群１０５にも出力することにより、運転席側と助手席側の両方に対して同じナビゲーション映像を表示させることも可能である。運転席側と助手席側でどの映像ソースを選択するかは、運転者および助手席の同乗者がそれぞれ図示しないソース選択スイッチを操作することによって決定することが可能である。
【００１７】
タッチパネル１ｂは、表示パネル１ａの前面に重ね合わされ、ユーザ（運転者または助手席の同乗者）によるタッチ操作を検出する。ここで、タッチパネル１ａをユーザが触れたか否かを検出するためには、例えば抵抗膜方式や赤外線方式等が使用される。タッチ位置検出部１ｃは、タッチパネル１ｂへのユーザのタッチ位置を検出してその座標データを出力する。
【００１８】
表示制御部２は、表示パネル１ａに対する映像の表示を制御する。表示制御部２は、上述した第１の画像データおよび第２の画像データを入力し、これらの入力画像データに基づいて表示パネル１ａに対して映像のデュアルビュー表示を行う。ここで、第１の画像データは、例えばナビゲーション装置用の地図画像データであるとする。また、第２の画像データは、例えばテレビ受信における画像データであってもよいし、ビデオ、ＣＤ、ＤＶＤ等を再生する再生機器であるソース源からの画像データであってもよい。
【００１９】
また、表示制御部２は、メニュー発生部４により発生されるメニュー画像データに基づいて、上述の映像の表示に重ねて、または、上述の映像の表示とは別に、所定のメニュー画像を表示パネル１ａに表示させる。メニュー発生部４は、各種操作項目を含んだメニュー画像データを階層化して記憶しており、その画像データに基づいてメニュー画像を生成し、表示制御部２に供給する。
【００２０】
制御部３は、表示装置１０の全体を制御する。例えば、制御部３は表示制御部２を制御して、デュアルビュー表示にて映像を表示パネル１ａに表示させる。また、制御部３は表示制御部２およびメニュー発生部４を制御して、所定のメニュー画像を表示パネル１ａに表示させる。第１の実施形態において制御部３は、デュアルビュー表示の異なる映像ソースに対する操作を独立して行うための第１のトップメニューと第２のトップメニューとを画面上の所定の場所に表示させる。第１のトップメニューおよび第２のトップメニューは、それぞれが複数の操作項目を含んでいる。
【００２１】
ここで、デュアルビューディスプレイの場合、第１のトップメニューと第２のトップメニューとを画面内の同じ位置に表示することも可能ではあるが、互いに異なる位置に表示するのが好ましい。後述するように、第１の実施形態においては、タッチパネル１ｂがユーザによりタッチされたときに、それが第１のトップメニューに対するものか第２のトップメニューに対するものかをタッチ位置の座標データに基づいて判定するので、第１のトップメニューと第２のトップメニューの表示位置は異ならせる必要がある。このようにすれば、物体の動きを捉えるセンサ等の特殊技術を用いることなく、タッチパネル１ｂにタッチした者が運転者であるか同乗者であるかを識別することが可能である。
【００２２】
また、制御部３は、デュアルビュー表示において運転席側と助手席側とで異なる映像ソースが選択されているときに、タッチ位置検出部１ｃから出力される座標データに基づいて、第１のトップメニューまたは第２のトップメニューの何れがタッチされたかを判断し、タッチされた側のトップメニューに対する操作を有効とし、タッチされていない側のトップメニューに対する操作を無効とするように動作を制御する。
【００２３】
また、制御部３は、タッチされていない側のトップメニューに対する操作を無効にした後、タッチ位置検出部１ｃから出力される座標データに基づいて、タッチされていない側のトップメニューに対する操作が行われたことを検知したとき、操作が無効であることを知らせる警告メッセージを出力するように警告発生部５を制御する。警告発生部５は、例えば警告メッセージの画像データを表示制御部２に出力し、当該警告メッセージを表示パネル１ａに表示させる。
【００２４】
図２は、表示パネル１ａに表示されるメニュー画面の一例を示す図である。ここで、図２（ａ）は左席用メニュー画面の第１階層から第３階層までの遷移状態を示し、図２（ｂ）は右席用メニュー画面の第１階層から第３階層までの遷移状態を示している。第１階層は、ユーザがタッチパネル１ｂに対して何の操作も行っていないときに常時表示されている第１のトップメニューおよび第２のトップメニューの画面である。これに対して、第２階層および第３階層は、第１のトップメニューまたは第２のトップメニューの何れかの操作項目がタッチされたときに表示される下位層のメニュー画面である。
【００２５】
図２（ａ）に示すように、左席用メニュー画面の第１階層では、左席用の映像に対する操作を独立して行うための第１のトップメニューが画面の左端付近に表示されている。左席が助手席の場合、上述したように左席用の映像はテレビ映像やＤＶＤ映像などであり、この場合に第１のトップメニューは、当該テレビ映像やＤＶＤ映像などを制御するための複数の操作項目を含んでいる。
【００２６】
一般に、階層構造メニューにおける操作項目を大別すると、下位または上位の階層に遷移するための遷移項目と、制御対象機器の機能や動作を制御するための機能項目とがある。階層構造の最下層には必ず何らかの機能項目がある。また、階層構造の最上層または途中の階層には、遷移項目および機能項目の何れを配置することも可能である。上述した第１のトップメニューに含まれる複数の操作項目には、遷移項目および機能項目の任意の項目を割り当てることが可能である。例えば、タイトルやチャプター等のスキップボタン、音量調整ボタンなどの機能項目を割り当てておくと、その機能をワンタッチで実行させることができる。
【００２７】
また、図２（ｂ）に示すように、右席用メニュー画面の第１階層では、右席用の映像に対する操作を独立して行うための第２のトップメニューが画面の右端付近に表示されている。右席が運転席の場合、上述したように右席用の映像はナビゲーション画像などであり、この場合に第２のトップメニューは、当該ナビゲーション画像を制御するための複数の操作項目を含んでいる。この操作項目にも、遷移項目および機能項目の任意の項目を割り当てることが可能である。例えば、現在地表示ボタン、表示縮尺変更ボタンなどの機能項目を割り当てておくと、その機能をワンタッチで実行させることができる。
【００２８】
第１階層では、第１のトップメニューも第２のトップメニューも全ての操作項目が有効であり、ユーザが希望する操作項目を任意にタッチして操作することができる。これに対して、第１階層で何れかの操作項目がタッチされると、そのタッチされた操作項目が第１のトップメニューのものか第２のトップメニューのものかに応じて、タッチされていない方のトップメニューに対する操作が無効化される。
【００２９】
無効化とは、タッチ操作を受け付けない状態のことを言う。画面上では、例えば、無効化した操作項目をマスクして表示する。または、無効化した操作項目を非表示としても良い。ここで、マスク表示とは、例えば操作項目を通常よりも薄く表示するなど、操作が有効なときの表示とは異なる態様で操作項目を表示することを言う。
【００３０】
図２では、第１階層において第２のトップメニューの遷移項目がタッチされた場合の例を示している（タッチされた操作項目にハッチングを付して示している）。この場合に制御部３は、タッチ位置検出部１ｃから出力される座標データに基づいて、第２のトップメニューがタッチされたと判断する。これによって制御部３は、第２のトップメニューに対する操作は引き続き有効とし、第１のトップメニューに対する操作を無効化する。
【００３１】
具体的には、制御部３は、第２のトップメニューの遷移項目に対するタッチ操作を検出したときに、左席用メニュー画面に関しては第１のトップメニューをマスク表示または非表示とするように表示制御部２およびメニュー発生部４を制御する。また、制御部３は、マスク表示された操作項目がタッチされてタッチ位置検出部１ｃから座標データが供給されても、第１のトップメニューに対する操作が有効に機能しないようにする。
【００３２】
これに対し、右席用メニュー画面に関して、制御部３は、第２階層のメニューを表示パネル１ａに表示させるように表示制御部２とメニュー発生部４とを制御する。第２階層で再び右席用メニュー画面の遷移項目がタッチされたときは、制御部３は、第３階層のメニューを表示パネル１ａに表示させるように表示制御部２とメニュー発生部４とを制御する。このときも第１のトップメニューは無効化されている。このように、第１階層で第２のトップメニューが有効にされた右席用メニュー画面において最終的に機能項目がタッチされて操作が終了するまで、あるいは、所定時間タッチ位置検出部１ｃから座標データの供給がなかったことを検知するまでは、第１のトップメニューの操作項目は無効化され続けている。
【００３３】
このように、左席用メニュー画面の操作項目は無効化されているので、操作が有効に維持されている右席用メニュー画面の第２階層および第３階層における操作項目は、第１のトップメニューが最初に表示されていた位置を除いて、画面上のどの位置に配置しても良い。この場合に制御部３は、第２階層以下の階層でのタッチパネル１ｂに対するタッチ操作を全て右席用メニュー画面の操作とみなす。逆に、第１階層で第１のトップメニューの操作項目がタッチされていたとすると、それ以降は右席用メニュー画面の操作項目が無効化されるので、第２階層以下の階層で右席用メニュー画面の操作項目の位置と同じ位置をタッチしていても、制御部３はそれを左席用メニュー画面の操作とみなす。
【００３４】
図３は、表示パネル１ａに表示されるメニュー画面の他の例を示す図である。この図３は図２と同様の遷移状態を示したものであるが、無効化された左席用メニュー画面において第２階層や第３階層でタッチ操作が行われた場合の表示画面例を示している。
【００３５】
上述したように、制御部３は、第１階層でタッチされていない側の第１のトップメニューに対する操作を無効にした後、タッチ位置検出部１ｃから出力される座標データに基づいて、第１のトップメニューに対するタッチ操作が行われたことを検知したとき、操作が無効であることを知らせる警告メッセージを表示パネル１ａに表示するように警告発生部５と表示制御部２とを制御する。なお、ここでは、警告メッセージを表示パネル１ａに表示する例について説明したが、図示しないスピーカから音声として出力するようにしても良い。
【００３６】
図４は、表示パネル１ａに表示されるメニュー画面の更に別の例を示す図である。この図４も図２と同様の遷移状態を示したものであるが、操作が無効化されている方の画面の一部に、もう片側の映像について操作中のモードを表示するようにした場合の表示画面例を示している。
【００３７】
この図４の例において、制御部３は、第１階層でタッチされていない第１のトップメニューに対する操作を無効にしたとき、操作が無効にされている方の映像に対して、操作が有効にされている映像の種類をメッセージとして表示するように表示制御部２による表示動作を制御する。具体的には、右席用メニュー画面にて操作中の映像が“ナビゲーション画像”であることを左席用メニュー画面の所定の場所（図４の例では画面右上）に表示する。
【００３８】
図５は、上記のように構成した第１の実施形態による表示装置１０の動作例を示すフローチャートである。図５において、制御部３は表示制御部２およびメニュー発生部４を制御して、運転席側と助手席側とで異なる映像ソースのデュアルビュー表示を表示パネル１ａに対して行うとともに、図２の第１階層のように第１のトップメニューと第２のトップメニューとを表示パネル１ａに表示させる（ステップＳ１）。
【００３９】
次に、制御部３は、タッチ位置検出部１ｃからの座標データの入力の有無に応じて、タッチパネル１ｂに対するタッチ操作が行われたかどうかを判定する（ステップＳ２）。タッチ操作が行われるまで、この判定を繰り返す。そして、タッチ位置検出部１ｃから座標データを入力することによってタッチ操作が行われたことを検知すると、制御部３はそのタッチ位置の座標データに基づいて、第１のトップメニューまたは第２のトップメニューの何れがタッチされたかを判定する（ステップＳ３、Ｓ４）。
【００４０】
ここで、第１のトップメニューに対してタッチが行われたと判断した場合、制御部３は第２のトップメニューに対する操作を無効化する（ステップＳ５）。このとき、第１のトップメニューに対する操作は有効のままである。一方、第２のトップメニューに対してタッチが行われたと判断した場合、制御部３は第１のトップメニューに対する操作を無効化する（ステップＳ６）。このとき、第２のトップメニューに対する操作は有効のままである。このステップＳ５またはステップＳ６の処理が行われた段階で、図４のように操作が無効化されたメニュー画面に対して他方のメニュー画面で操作中のモードを表示するようにしても良い。
【００４１】
なお、上記ステップＳ２で検出されたタッチパネル１ｂに対する操作が、第１のトップメニューに対する操作でも第２のトップメニューに対する操作でもない場合、つまり、タッチ位置検出部１ｃから制御部３に入力された座標データが、第１のトップメニューの位置を表す座標でも第２のトップメニューの位置を表す座標でもない場合は、そのタッチ操作自体が無効なものであるので、ステップＳ２の処理に戻る。
【００４２】
上記ステップＳ５またはステップＳ６において何れかのトップメニューに対する操作を無効化した後、制御部３は、タッチされた操作項目に該当する処理を実行するように制御する（ステップＳ７）。タッチされた操作項目が遷移項目であった場合には、表示制御部２およびメニュー発生部４を制御して、遷移先の階層のメニュー画像を表示パネル１ａに表示させる。また、タッチされた操作項目が機能項目であった場合には、図示しない制御対象機器を制御して、該当する機能または動作を実行させる。
【００４３】
そして、制御部３は、一連の操作が終了したか否かを判定する（ステップＳ８）。具体的には、何らかの機能項目がタッチされてそれに対応する処理が実行されたか否かを判定する。機能項目がタッチされてステップＳ７の処理が行われた場合には、ステップＳ５またはステップＳ６で無効化したトップメニューに対する操作を有効な状態に戻し（ステップＳ１４）、ステップＳ１の処理に戻る。一方、遷移項目がタッチされてステップＳ７の処理が行われた場合には、まだ続きの操作があるため、ステップＳ９に進む。
【００４４】
ステップＳ９において制御部３は、タッチ位置検出部１ｃからの座標データの入力の有無に応じて、タッチパネル１ｂに対するタッチ操作が行われたかどうかを判定する。タッチ操作が行われるまで、この判定を繰り返す。ここで、上記ステップＳ２でタッチパネル１ｂに対するタッチ操作が検出されてから、ステップＳ９におけるタッチ操作までの時間を計測し、所定時間内にステップＳ９におけるタッチ操作が検出されない場合（タイムアウト）、操作を継続する意思がないと判断してステップＳ１の処理に戻るようにしても良い。
【００４５】
そして、座標データを入力することによってタッチ操作が行われたことを検知すると、制御部３はそのタッチ位置の座標データに基づいて、無効化された方のトップメニューに対する操作であったか否かを判定する（ステップＳ１０）。無効化されたトップメニューに対する操作であった場合には、図３のように警告メッセージを出力して（ステップＳ１１）、ステップＳ９の処理に戻る。
【００４６】
一方、無効化されたトップメニューに対する操作でない場合、つまり、有効に維持されている方の下位層メニューに対する操作であった場合には、制御部３は、タッチされた操作項目に該当する処理を実行するように制御する（ステップＳ１２）。タッチされた操作項目が遷移項目であった場合には、表示制御部２およびメニュー発生部４を制御して、遷移先の階層のメニュー画像を表示パネル１ａに表示させる。また、タッチされた操作項目が機能項目であった場合には、図示しない制御対象機器を制御して、該当する機能または動作を実行させる。
【００４７】
そして、制御部３は、一連の操作が終了したか否かを判定する（ステップＳ１３）。具体的には、何らかの機能項目がタッチされてそれに対応する処理が実行されたか否かを判定する。遷移項目がタッチされてステップＳ１２の処理が行われた場合には、まだ続きの操作があるため、ステップＳ９に戻る。なお、遷移項目がタッチされた後、所定時間内に次のタッチ操作が検出されない場合は、上記と同様に操作を継続する意思がないと判断してステップＳ１の処理に戻すことも可能である。一方、機能項目がタッチされてステップＳ１２の処理が行われた場合には、ステップＳ５またはステップＳ６で無効化したトップメニューに対する操作を有効な状態に戻して（ステップＳ１４）、ステップＳ１の処理に戻る。
【００４８】
以上詳しく説明したように、第１の実施形態では、同乗者用の第１のトップメニューと運転者用の第２のトップメニューとを画面上の異なる位置に表示し、タッチ位置の座標データに基づいて何れのトップメニューに対する操作が行われたかを判定するようにしているので、センサ等の特殊技術を用いる必要がなく、同乗者と運転者との独立操作を低コストで実現することができる。
【００４９】
また、第１の実施形態では、ユーザがタッチパネル１ｂにタッチする前から第１のトップメニューと第２のトップメニューとをあらかじめ表示しているので、トップメニューを表示させるために最初に余分なタッチ操作を行う必要がなくなる。しかも、そのトップメニュー中に複数の操作項目を含ませているので、例えばそれらに対して頻繁に使われる可能性の高い機能を割り当てておくことにより、希望する機能をワンタッチで実行させることもできる。これにより、より少ない回数のタッチでメニュー操作を行うことができ、快適な操作性を実現することができる。
【００５０】
なお、上記第１の実施形態では、例えば左席用メニュー画面における第１のトップメニューが無効化されているときに、操作が有効とされている右席用メニュー画面の下位層における操作項目は、第１のトップメニューが最初に表示されていた位置以外に表示するとしたが、これに限定されない。例えば、第１のトップメニューが最初に表示されていた位置を含めて、画面上の任意の位置に右席用メニュー画面の下位層における操作項目を表示しても良い。この場合に警告発生部５は、右席用メニュー画面の下位層の操作項目が第１のトップメニューの位置に表示されていないときに限り、第１のトップメニューの位置がタッチされたときに警告を出力する。
【００５１】
（第２の実施形態）
次に、本発明による第２の実施形態を図面に基づいて説明する。第２の実施形態は、デュアルビュー表示において運転席側と助手席側とで同じ映像ソースが選択されているときにおけるメニュー画像の提供方法に関するものである。表示装置１０の構成は図１と同様であるが、表示制御部２、制御部３およびメニュー発生部４の動作が第１の実施形態と異なっている。
【００５２】
図６は、デュアルビュー表示において運転席側と助手席側とで同じ映像ソースが選択されているときに表示パネル１ａに表示されるメニュー画面の一例を示す図である。ここで、図６（ａ）は左席用メニュー画面の第１階層から第２階層までの遷移状態を示し（第２階層の操作項目は全て機能項目で、第３階層はないものとする）、図６（ｂ）は右席用メニュー画面の第１階層から第３階層までの遷移状態を示している。
【００５３】
第１階層は、ユーザがタッチパネル１ｂに対して何の操作も行っていないときに常時表示されている第１のトップメニューおよび第２のトップメニューの画面である。これに対して、第２階層および第３階層は、第１のトップメニューまたは第２のトップメニューの何れかの操作項目がタッチされたときに表示される下位層のメニューである。
【００５４】
図６（ａ）に示すように、左席用メニュー画面の第１階層では、第１のトップメニューが画面の左端付近に表示されている。また、図６（ｂ）に示すように、右席用メニュー画面の第１階層では、第２のトップメニューが画面の右端付近に表示されている。ここで、第１のトップメニューも第２のトップメニューも同じ映像に対する操作を独立して行うためのメニューであり、その内容は同じとなっている。
【００５５】
第１階層では、第１のトップメニューも第２のトップメニューも全ての操作項目が有効であり、ユーザが希望する操作項目を任意にタッチして操作することができる。これに対して、第１階層で何れかの操作項目がタッチされると、そのタッチされた操作項目が第１のトップメニューのものか第２のトップメニューのものかに応じて、何れかのトップメニューに対する操作が無効化される。この無効化に関する動作は、第１の実施形態で説明した動作と同様である。
【００５６】
例えば、図６（ａ）のように第１階層で第１のトップメニューの遷移項目がタッチされると、左席用の第２階層のメニューが表示される。このとき、第２階層では第２のトップメニューが無効化される。一方、図６（ｂ）のように第１階層で第２のトップメニューの遷移項目がタッチされると、右席用の第２階層のメニューが表示される。このとき、第２階層では第１のトップメニューが無効化される。
【００５７】
図６（ａ）の第２階層と図６（ｂ）の第２階層とを比べると分かるように、第１階層で同じ内容の遷移項目がタッチされているにもかかわらず、第２階層で表示されているメニューの内容が異なっている。すなわち、第２の実施形態では、制御部３は、タッチ位置検出部１ｃから入力される座標データに基づいて、第１のトップメニューまたは第２のトップメニューの何れがタッチされたかを判断し、タッチされたトップメニューに応じて、操作項目の数や機能あるいは表示色、表示位置などが異なる下層メニューを表示パネル１ａに表示させるように表示制御部２およびメニュー発生部４による動作を制御する。
【００５８】
例えば、本表示装置を車載用として用いた場合、運転者用には詳細な操作が可能なように詳細操作メニューを表示し、同乗者用には基本的な簡易操作が可能なように簡易操作メニューを表示する（あるいはその逆）といった使い方が可能である。また、同乗者用にはデフォルトのメニューを表示し、運転者用には表示すべき操作項目やその表示位置などを運転者自身が事前にカスタマイズしたカスタムメニューを表示するようにしても良い。
【００５９】
図７は、第２の実施形態による表示装置１０の動作例を示すフローチャートである。図７において、制御部３は、表示制御部２およびメニュー発生部４を制御して、運転席側と助手席側とで同じ映像ソースのデュアルビュー表示を表示パネル１ａに対して行うとともに、図６の第１階層のように互いに同内容の第１のトップメニューと第２のトップメニューとを表示パネル１ａに表示させる（ステップＳ２１）。
【００６０】
次に、制御部３は、タッチ位置検出部１ｃからの座標データの入力の有無に応じて、タッチパネル１ｂに対するタッチ操作が行われたかどうかを判定する（ステップＳ２２）。タッチ操作が行われるまで、この判定を繰り返す。そして、タッチ位置検出部１ｃから座標データを入力することによってタッチ操作が行われたことを検知すると、制御部３はそのタッチ位置の座標データに基づいて、第１のトップメニューまたは第２のトップメニューの何れがタッチされたかを判定する（ステップＳ２３、Ｓ２４）。
【００６１】
ここで、第１のトップメニューに対してタッチが行われたと判断した場合、制御部３は第２のトップメニューに対する操作を無効化する（ステップＳ２５）。このとき、第１のトップメニューに対する操作は有効のままである。一方、第２のトップメニューに対してタッチが行われたと判断した場合、制御部３は第１のトップメニューに対する操作を無効化する（ステップＳ２６）。このとき、第２のトップメニューに対する操作は有効のままである。
【００６２】
なお、上記ステップＳ２２で検出されたタッチパネル１ｂに対する操作が、第１のトップメニューに対する操作でも第２のトップメニューに対する操作でもない場合、つまり、タッチ位置検出部１ｃから制御部３に入力された座標データが、第１のトップメニューの位置を表す座標でも第２のトップメニューの位置を表す座標でもない場合は、そのタッチ操作自体が無効なものであるので、ステップＳ２２の処理に戻る。
【００６３】
上記ステップＳ２５またはステップＳ２６において何れかのトップメニューに対する操作を無効化した後、制御部３は、タッチされた操作項目が機能項目であるか否かを判定する（ステップＳ２７）。タッチされた操作項目が機能項目であると判断した場合、制御部３は、図示しない制御対象機器を制御して、該当する機能または動作を実行させる（ステップＳ３４）。そして、制御部３は、ステップＳ２５またはステップＳ２６で無効化したトップメニューに対する操作を有効な状態に戻し（ステップＳ３５）、ステップＳ２１の処理に戻る。
【００６４】
一方、タッチされた操作項目が機能項目でない場合、つまり、遷移項目に対する操作であった場合は、制御部３は表示制御部２およびメニュー発生部４を制御し、遷移先の階層のメニュー画像を表示パネル１ａに表示させる（ステップＳ２８）。このとき表示するメニュー画像は、有効とされているトップメニューに対応するものである。例えば、ステップＳ２６で第１のトップメニューが無効化されている場合には、有効となっている第２のトップメニューから遷移する詳細操作メニューを表示パネル１ａに表示する。また、ステップＳ２５で第２のトップメニューが無効化されている場合には、有効となっている第１のトップメニューから遷移する簡易操作メニューを表示パネル１ａに表示する。
【００６５】
次に、制御部３は、タッチ位置検出部１ｃからの座標データの入力の有無に応じて、タッチパネル１ｂに対するタッチ操作が行われたかどうかを判定する（ステップＳ２９）。タッチ操作が行われるまで、この判定を繰り返す。ここで、上記ステップＳ２２でタッチパネル１ｂに対するタッチ操作が検出されてから、ステップＳ２９におけるタッチ操作までの時間を計測し、所定時間内にステップＳ２９におけるタッチ操作が検出されない場合（タイムアウト）、操作を継続する意思がないと判断してステップＳ２１の処理に戻るようにしても良い。
【００６６】
そして、座標データを入力することによってタッチ操作が行われたことを検知すると、制御部３はそのタッチ位置の座標データに基づいて、無効化された方のトップメニューに対する操作であったか否かを判定する（ステップＳ３０）。無効化されたトップメニューに対する操作であった場合には、図３のように警告メッセージを出力して（ステップＳ３１）、ステップＳ２９の処理に戻る。
【００６７】
一方、無効化されたトップメニューに対する操作でない場合、つまり、有効とされている方のトップメニューに対する操作であった場合には、制御部３は、タッチされた操作項目が機能項目であるか否かを判定する（ステップＳ３２）。タッチされた操作項目が機能項目でない場合、つまり、遷移項目に対する操作であった場合は、制御部３は表示制御部２およびメニュー発生部４を制御し、遷移先の階層のメニュー画像を表示パネル１ａに表示させて（ステップＳ３３）、ステップＳ２９の処理に戻る。このとき表示するメニュー画像も、有効とされているトップメニューに対応するものである。なお、遷移項目がタッチされて遷移先のメニューが表示された後、所定時間内に次のタッチ操作が検出されない場合は、上記と同様に操作を継続する意思がないと判断してステップＳ２１の処理に戻すことも可能である。
【００６８】
上記ステップＳ３２において、タッチされた操作項目が機能項目であると判断した場合、制御部３は、図示しない制御対象機器を制御して、該当する機能または動作を実行させる（ステップＳ３４）。そして、制御部３は、ステップＳ２５またはステップＳ２６で無効化したトップメニューに対する操作を有効な状態に戻し（ステップＳ３５）、ステップＳ２１の処理に戻る。
【００６９】
以上詳しく説明したように、第２の実施形態によれば、例えば車載用表示装置として用いた場合、運転席側と助手席側とで同じ映像ソースが選択されたデュアルビュー表示が行われているときに、同一ソースの映像の中でも運転者用と助手席用とでメニュー内容を変えて表示することができ、ユーザに合わせて操作性を高めることができる。
【００７０】
なお、上記第１および第２の実施形態では、トップメニューの表示位置を画面左端付近および右端付近としたが、これは単なる一例に過ぎない。第１のトップメニューと第２のトップメニューの位置が異なっていれば、画面上のどこに表示しても良い。
【００７１】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００７２】
本発明は、１つの表示画面において観察する方向により異なる映像を見ることができるように成されたデュアルビューディスプレイに有用である。
【図面の簡単な説明】
【００７３】
【図１】第１の実施形態による表示装置の構成例を示す図である。
【図２】第１の実施形態において異なる映像ソースのデュアルビュー表示が行われているときに表示パネルに表示されるメニュー画面の一例を示す図である。
【図３】第１の実施形態において異なる映像ソースのデュアルビュー表示が行われているときに表示パネルに表示されるメニュー画面の他の例を示す図である。
【図４】第１の実施形態において異なる映像ソースのデュアルビュー表示が行われているときに表示パネルに表示されるメニュー画面の更に別の例を示す図である。
【図５】第１の実施形態による表示装置の動作例を示すフローチャートである。
【図６】第２の実施形態において同じ映像ソースのデュアルビュー表示が行われているときに表示パネルに表示されるメニュー画面の一例を示す図である。
【図７】第２の実施形態による表示装置の動作例を示すフローチャートである。
【図８】デュアルビューディスプレイの原理を示す図である。
【符号の説明】
【００７４】
１  表示部
１ａ  表示パネル
１ｂ  タッチパネル
１ｃ  タッチ位置検出部
２  表示制御部
３  制御部
４  メニュー発生部
５  警告発生部
１０  表示装置（デュアルビューディスプレイ）
【図１】
0004657116.tif 000002
【図２】
0004657116.tif 000003
【図３】
0004657116.tif 000004
【図４】
0004657116.tif 000005
【図５】
0004657116.tif 000006
【図６】
0004657116.tif 000007
【図７】
0004657116.tif 000008
【図８】
0004657116.tif 000009